(57)【要約】【課題】  移動通信端末からより低料金で内線特番機能を利用することができる構内交換機および構内交換機用プログラムを提供することを目的とする。【解決手段】  公衆網ＮＷおよび構内網と接続されるとともに、構内網に接続された複数の電話機ＥＸに係る呼接続を行う構内交換機ＰＢＸであって、公衆網ＮＷに接続される移動通信端末から内線特番用のダイヤルイン番号に発信されると、内線特番の利用の可否に係る電話番号を記憶する内線特番受付可能電話番号記憶部ＤＢ２を参照して、発信元の移動通信端末からの内線特番の入力を受け付けて良いか否かを判断し、受け付けて良いと判断した場合に内線特番の入力を受け付け、入力される内線特番に対応した処理を行う。【選択図】  図２
2010239215.tif 000002
【特許請求の範囲】
【請求項１】
公衆網および構内網と接続されるとともに、前記構内網に接続された複数の電話機に係る呼接続を行う構内交換機であって、
ダイヤルイン番号に発信されると内線特番の入力を受け付けるダイヤルイン着信処理手段と、
入力される内線特番に対応した処理を行う内線特番処理手段と
を有することを特徴とする構内交換機。
【請求項２】
内線特番の受け付けの可否に係る電話番号を記憶する内線特番受付電話番号記憶部をさらに有し、
前記ダイヤルイン着信処理手段には、ダイヤルイン番号に発信されると、内線特番受付電話番号記憶部を参照して、発信元の電話番号が内線特番の入力を受け付けて良いか否かを判断する受付可否判断手段を備えることを特徴とする請求項１に記載の構内交換機。
【請求項３】
前記ダイヤルイン着信処理手段には、ダイヤルイン番号に発信されると、内線特番の番号および前記内線特番の機能を対応付けてアナウンスする内線特番番号案内手段を備えることを特徴とする請求項１または請求項２に記載の構内交換機。
【請求項４】
公衆網および構内網と接続されるとともに、前記構内網に接続された複数の電話機に係る呼接続を行う構内交換機で使用されるプログラムであって、
ダイヤルイン番号に発信されると内線特番の入力を受け付けるダイヤルイン着信処理機能と、
入力される内線特番に対応した処理を行う内線特番処理機能と
を有することを特徴とする構内交換機用プログラム。
【請求項５】
前記ダイヤルイン着信処理機能には、ダイヤルイン番号に発信されると、内線特番の受け付けの可否に係る電話番号を記憶する内線特番受付電話番号記憶部を参照して、発信元の電話番号が内線特番の入力を受け付けて良いか否かを判断する受付可否判断機能を備えることを特徴とする請求項１に記載の構内交換機用プログラム。
【請求項６】
前記ダイヤルイン着信処理機能には、ダイヤルイン番号に発信されると、内線特番の番号および前記内線特番の機能を対応付けてアナウンスする内線特番番号案内機能を備えることを特徴とする請求項４または請求項５に記載の構内交換機用プログラム。
【発明の詳細な説明】
【技術分野】
【０００１】
本発明は、構内電話システムにおける構内交換機と携帯電話等の移動通信端末との連携機能に関する。
【背景技術】
【０００２】
企業向け構内交換システムは、構内交換システムのネットワークに多数の固定電話機が接続され、このネットワークに接続された電話機同士を用いた通話は、通信事業者から課金される通話料金が発生しない、いわゆる内線通話を行うようになっている。構内交換システムのネットワークに接続された固定電話機は、内線電話とも呼ばれ、それぞれの内線電話には、内線通話を行うための内線番号が割り当てされている。企業向け構内交換システムでは、代表の電話番号（外線番号）へ着信があると複数の内線電話を同時に呼出しする同時呼出機能や、電話の取り次ぎを効率よく行うことができるよう他の内線電話へ転送する転送機能、複数の内線電話を用いて会議を行う会議機能等、企業向けの多数の機能が用意されている。
【０００３】
携帯電話やＰＨＳ（Personal Handyphone System）等の移動通信端末で同様の機能を使用する場合、内線電話の受話器を挙げたオフフック状態で、内線特番と呼ばれる予め機能と対応付けられている番号（ダイヤルイン番号）をダイヤルすることにより、構内交換機がその内線特番機能を判断して、転送や会議を行うようにしている。このような内線特番機能を移動通信端末から使用する場合は、構内交換システムに備えられた構内交換機が、移動通信端末から着信したダイヤルイン番号に基づいて内線特番機能を判断している。そのため、内線特番機能毎に外線の電話番号であるダイヤルイン番号を用意しておく必要がある。内線特番機能が、例えば２０個ある場合は、２０個のダイヤルイン番号を用意する必要があり、これらのダイヤルイン番号を通信事業者と契約しなくてはならない。そのため、内線特番機能の個数分の外線電話回線料を支払うことになり、コストが高くなるという問題がある。
【０００４】
ところで、近年では、企業の事務所内の自分の席で行う業務だけでなく、別室での作業や事務所から外出した先での業務においても連絡が取れるように、移動通信網の事業者と契約した携帯電話やＰＨＳ等の移動通信端末を使用することが多くなっている。そのため、移動通信端末を内線電話として使用する技術が知られている。例えば、特許文献１には、内線電話として使用される移動通信端末が他の内線電話へ発信する場合に、代表電話番号等の外線電話番号を入力せずに内線番号を入力するようにするため、携帯電話に内線発信ボタンを設け、この内線発信ボタンを押下した後に発信先の内線電話の内線番号を押下することにより、内線電話へ発信するように携帯電話および交換機を構成している。
【先行技術文献】
【特許文献】
【０００５】
【特許文献１】特開２０００−１２５３２６号公報
【発明の概要】
【発明が解決しようとする課題】
【０００６】
しかしながら、上記の技術では、携帯電話から内線番号を発信することにより内線電話への発信について記載されているが、内線特番機能を移動通信端末から利用する技術については記載されていなく、内線特番機能を移動通信端末から利用する場合に低料金化することができない。
【０００７】
そのため、移動通信端末からより低料金で内線特番機能を利用することができる構内交換機および構内交換機用プログラムを提供することを目的とする。
【課題を解決するための手段】
【０００８】
上記目的を達成するために、本発明による構内交換機は、公衆網および構内網と接続されるとともに、前記構内網に接続された複数の電話機に係る呼接続を行う構内交換機であって、ダイヤルイン番号に発信されると内線特番の入力を受け付けるダイヤルイン着信処理手段と、入力される内線特番に対応した処理を行う内線特番処理手段とを有することを特徴とする。
【０００９】
また、上記目的を達成するために、本発明による構内交換機用プログラムは、公衆網および構内網と接続されるとともに、前記構内網に接続された複数の電話機に係る呼接続を行う構内交換機で使用されるプログラムであって、ダイヤルイン番号に発信されると内線特番の入力を受け付けるダイヤルイン着信処理機能と、入力される内線特番に対応した処理を行う内線特番処理機能とを有することを特徴とする。
【発明の効果】
【００１０】
本発明による構内交換機および構内交換機用プログラムによれば、移動通信端末からより低料金で内線特番機能を利用することができる。
【図面の簡単な説明】
【００１１】
【図１】本発明の一実施の形態に係る構内交換システムを示したブロック図。
【図２】本発明の一実施の形態に係る構内交換機を示したブロック図。
【図３】本発明の一実施の形態に係る構内交換機に記憶される特番データベースを示す図。
【図４】本発明の一実施の形態に係る構内交換機に記憶される、内線特番機能を利用可能な移動通信端末の一覧である移動通信端末データベースを示す図。
【図５】本発明の一実施の形態に係る構内交換システムで携帯電話から内線特番を使用して内線電話へ発信する場合のシーケンスを示す図。
【図６】本発明の一実施の形態に係る構内交換システムで携帯電話から内線特番を使用して内線電話へ転送する場合のシーケンスを示す図。
【図７】本発明の一実施の形態に係る構内交換機の処理を示すフローチャート。
【発明を実施するための形態】
【００１２】
以下、本発明の実施例を、図面を参照して説明する。
【実施例】
【００１３】
図１は、本発明の一実施の形態を示す構内交換システムを示した図である。  
構内交換システムは、構内交換機ＰＢＸと、構内交換機ＰＢＸに直接または構内ネットワークを介して接続された固定電話機である内線電話ＥＸ１、ＥＸ２とを有する。図１では内線電話ＥＸ１、ＥＸ２は２つのみ示したが、多数の内線電話ＥＸｎが接続されるようになっている。また、構内交換機ＰＢＸには、多数の内線電話ＥＸ１、ＥＸ２、ＥＸ３、…、ＥＸｎが接続される他、公衆網ＮＷと接続される。
【００１４】
このような構内交換システムは、しばしば企業等で使用され、企業内での通話は構内交換機を経由して構内のネットワークを介して行われる。この企業内での通話は、いわゆる「内線」通話であり、企業内に設置される構内交換システムのネットワークに接続される固定電話機はしばしば内線電話と呼ばれる。社外の電話機Pからの着信の場合には、社外の電話機Pから発せられた発信呼が社外の公衆網ＮＷを経由して構内交換機ＰＢＸを経由して内線電話ＥＸ（ＥＸ１乃至ＥＸｎの総称）に着信する。社内から社外へ発信する場合には、内線電話ＥＸから発せられた発信呼が構内交換機ＰＢＸを経由して社外の公衆網ＮＷを介して発信先に着信する。
【００１５】
また、内線電話ＥＸ１が内線電話ＥＸ２と通話中に、図示しない内線電話ＥＸ３へ呼を転送する場合、構内交換機ＰＢＸの内線機能を利用する。この構内交換機ＰＢＸが備える機能は、発信、転送、会議等の内線を利用した通話に関する機能であり、これらの機能に対応した番号を内線電話ＥＸからダイヤルすることで利用できるものである。なお、ここではこれらの機能は構内交換機ＰＢＸの機能として設けられている場合を説明したが、内線電話ＥＸｎ個々の機能として設けられている場合もある。
【００１６】
さらに、例えば携帯電話ＭＰを所有しているユーザＡという社員が、内線電話ＥＸ１を使用するユーザＢという社員へ内線で発信したい場合、上記の内線特番に対応したダイヤルイン番号と呼ばれる、内線特番を利用可能にする外線電話番号をダイヤルして構内交換機ＰＢＸに発信し、構内交換機ＰＢＸの機能により内線電話ＥＸ１への内線発信を行う。通常、このダイヤルイン番号は、内線特番機能毎に設けられている。しかし、本実施例では、構内交換機ＰＢＸに対して発信するダイヤルイン番号を１つにし、ダイヤルイン番号を発信して構内交換機ＰＢＸと接続された状態で、内線特番をダイヤルするようにできるようになっている。このような、社外からの内線特番の利用を１つのダイヤルイン番号で行う構内交換機ＰＢＸの構成について、以降説明する。
【００１７】
次に、図２を参照して、構内交換機ＰＢＸの機能ブロックについて説明する。  
構内交換機ＰＢＸは、公衆網ＮＷと接続する局線インタフェース部１１、内線電話へ接続する内線インタフェース部１２、構内交換機ＰＢＸを制御する制御部２０、種々の情報を記憶する例えばハードディスクドライブ等の記憶部Ｍとを有する。制御部２０には、ダイヤルイン着信があった場合に、発信者がダイヤルイン番号を利用してよいか否かの判断や、内線特番の入力を促したり内線特番の入力が可能な状態にしたりするダイヤルイン着信処理部（ダイヤルイン着信処理手段、ダイヤルイン着信処理機能）２１、入力された内線特番に基づき内線特番機能を行う内線特番処理部（内線特番処理手段、内線特番処理機能）２２、および発信呼や着信呼を受信して呼接続を行う呼制御部（呼制御機能）２３が備えられる。
【００１８】
記憶部Ｍには、内線特番とその内線特番が入力された場合に行う処理が設定される内線特番データベースＤＢ１、および社員以外の発信者による内線特番機能の利用を制限するために内線特番機能を利用可能な移動通信端末ＭＰを設定する移動通信端末データベース（内線特番受付電話番号記憶部）ＤＢ２が記憶されている。
【００１９】
移動通信端末ＭＰを内線電話ＥＸとして利用可能にするような移動通信端末ＭＰとの連携がなされている構内交換機ＰＢＸには、移動通信端末ＭＰの電話番号と内線電話ＥＸの内線番号とを関連付けしておくデータベースが用意されていることがある。移動通信端末データベースＤＢ２は、このような移動通信端末ＭＰの電話番号と内線電話ＥＸの内線番号とを関連付けしておくデータベースを利用し、内線番号と関連付けされている移動通信端末ＭＰからのダイヤルイン着信を許可するようにしてもよい。
【００２０】
構内交換機ＰＢＸの基本処理として、例えば公衆網ＮＷから内線電話ＥＸへ着信する場合は、公衆網ＮＷから発信された発信呼を局線インタフェース部１１で受信すると、呼制御部２３が内線インタフェース部１２を制御して内線電話ＥＸを呼び出すようになっている。内線電話ＥＸ１から他の内線電話ＥＸ２へ着信する場合は、発信元の内線電話ＥＸ１から発信された発信呼を内線インタフェース部１２で受信し、呼制御部２３が内線インタフェース部１２を制御して発信先の内線電話ＥＸ２を呼び出すようになっている。
【００２１】
また、ダイヤルイン着信を局線インタフェース部１１で受信すると、ダイヤルイン着信処理部２１が、発信元がダイヤルイン着信を許可してよいか否かについて移動通信端末データベースＤＢ２を参照して判断する。ダイヤルイン着信を許可し、内線特番が入力されると、内線特番処理部２２は、内線特番データベースＤＢ１を参照して内線特番機能を行うように処理するようになっている。
【００２２】
ここで、図３および図４を参照して、記憶部Ｍに記憶されるデータベースについて説明する。  
図３は、内線特番データベースＤＢ１の例を示した図である。内線特番データベースＤＢ１は、内線特番とその内線特番毎の内線特番機能の設定とが関連付けされて記憶されている。例えば、図３の例では、内線特番「０１」は発信機能と関連付けされ、内線特番「０１」がダイヤルされると発信を行う設定になっていることを示す。また、内線特番「０２」は転送機能と関連付けされ、内線特番「０２」がダイヤルされると転送を行う設定になっていることを示す。同様に、内線特番「０３」は電話会議に招待する機能と関連付けされ、内線特番「０４」以降も多数の内線特番機能記憶されている。
【００２３】
図４は、移動通信端末データベースＤＢ２の例を示した図である。移動通信端末データベースＤＢ２は、移動通信端末ＭＰの電話番号と内線電話ＥＸの内線番号とが関連付けされて記憶されている。この移動通信端末データベースＤＢ２は、図２を説明する際に前述したように、移動通信端末ＭＰを内線電話ＥＸとして利用可能にするような移動通信端末ＭＰとの連携がなされている構内交換機ＰＢＸに備えられている移動通信端末ＭＰの電話番号と内線電話ＥＸの内線番号とを関連付けしておくデータベースを利用してもよく、図４の例では、そのような移動通信端末ＭＰの電話番号と内線電話ＥＸの内線番号とを関連付けしておくデータベースを移動通信端末データベースＤＢ２とした例を示した。なお、この例以外にも、内線特番機能を利用してよい移動端末装置ＭＰの電話番号を記憶しておくようなデータベースであってもよい。
【００２４】
図４では、移動通信端末ＭＰの電話番号と内線電話ＥＸの内線番号とを関連付けて記憶している。例えば、移動通信端末ＭＰの電話番号が「０ａ０−ｂｃｄｅ−ｆｇｈｊ」は内線番号「１０００」の内線電話ＥＸと関連付けられている。移動通信端末ＭＰの電話番号が「０ａ０−ｂｃｄｅ−ｆｇｈｋ」は内線番号「１００１」の内線電話ＥＸと関連付けられ、その他の移動通信端末ＭＰの電話番号と内線電話ＥＸの内線番号の関連付けについても多数記憶されている。
【００２５】
次に図５を参照して、内線電話ＥＸと関連付けされている移動通信端末ＭＰがダイヤルイン番号を利用して、内線番号が１０００である内線電話ＥＸ１へ発信する場合のシーケンスについて説明する。
【００２６】
移動通信端末ＭＰから構内交換機ＰＢＸの特番機能を利用すべくダイヤルイン番号をダイヤルする（Ｓ１０１）と、構内交換機ＰＢＸに備えられたダイヤルイン着信処理部２１は、移動通信端末データベースＤＢ２を参照して発信元である移動通信端末ＭＰの電話番号が内線特番機能を利用可能か否かを判断する（Ｓ１０２）。ここでは、移動通信端末ＭＰの電話番号がと移動通信端末データベースＤＢ２に記憶されているとし、この移動通信端末ＭＰが内線特番機能を利用可能であるとする。
【００２７】
そして、ここでは移動通信端末ＭＰは、内線特番機能を利用可能であるため、ダイヤルイン着信処理部２１は、移動通信端末ＭＰに対し、内線特番の入力を促す（Ｓ１０３）。内線特番の入力を促す方法として、「内線特番を入力して下さい」等のアナウンスを流したり、構内交換機ＰＢＸから聞こえる電子音が変化したりする等、種々の方法がある。また、このとき、内線特番を選択するために、「発信は０１番、転送は０２番、…、をダイヤルして下さい」等のアナウンスを流してもよい（内線特番番号案内手段、内線特番番号案内機能）。
【００２８】
なお、この内線特番の使用方法として、発信や転送などの場合、内線特番をダイヤルした後に、発信先や転送先の内線番号を入力する。このとき、内線特番と内線番号の間に「＃」等の区切り信号を挟む方法や、内線特番と内線番号とを構内交換機ＰＢＸが区別するようにする方法など種々あるが、何れでもよい。
【００２９】
移動通信端末ＭＰが内線特番を入力し、必要であれば内線番号の入力も行う（Ｓ１０４、Ｓ１０５）。例えば、ここでは内線番号１０００への発信であるため、発信を行う内線特番０１と内線番号１０００を入力する。入力の仕方は上記のように種々あるが、例えば「０１１０００」や「０１＃１０００」等を入力する。内線特番および必要に応じて内線番号を入力された構内交換機ＰＢＸは、内線特番処理部２３により内線特番機能の処理を行う（Ｓ１０６）。
【００３０】
ここでは、内線電話ＥＸ１への発信であるため、内線電話ＥＸ１を呼出し（Ｓ１０７）、内線電話ＥＸ１は鳴動する（Ｓ１０８）。内線電話ＥＸ１が応答すると（Ｓ１０９、Ｓ１１０）、内線電話ＥＸ１と移動通信端末ＭＰとの通話が成立する（Ｓ１１１）。このように、ダイヤルイン番号を用いて内線電話ＥＸ１と移動通信端末ＭＰとが通話することができる。
【００３１】
次に、図６を参照して、内線番号３０００の内線電話ＥＸ２と関連付けされている移動通信端末ＭＰに外線電話Ｐから内線電話ＥＸ２へ着信があった場合、内線電話ＥＸ２とともに移動通信端末ＭＰも鳴動するようにして移動通信端末ＭＰで応答した後に、内線番号１０００の内線電話ＥＸ１へ転送する場合のシーケンスについて説明する。
【００３２】
外線電話Ｐが内線電話ＥＸ２に関連付けされた移動通信端末ＭＰの電話番号へ発信する（Ｓ２０１）と、構内交換機ＰＢＸの外線インタフェース部１１はその発信呼を受信し、内線電話ＥＸ２を呼出しする（Ｓ２０２）とともに、内線電話ＥＸ２に関連付けされている移動通信端末ＭＰを呼出しする（Ｓ２０３）。呼出しされた内線電話ＥＸ２および移動通信端末ＭＰは、それぞれ鳴動する（Ｓ２０４、Ｓ２０５）。ここでは、移動通信端末ＭＰが応答する場合を示す。移動通信端末ＭＰが応答すると（Ｓ２０６、Ｓ２０７）、移動通信端末ＭＰと外線電話Ｐとは通話が成立する（Ｓ２０８）。
【００３３】
この通話中に、移動通信端末ＭＰがこの呼を内線番号１０００の内線電話ＥＸ１に転送する場合、移動通信端末ＭＰはダイヤルイン番号をダイヤルする（Ｓ２０９）。これに構内交換機ＰＢＸが応答して内線特番の入力を促す（Ｓ２１０）。この内線特番の入力を促す方法や内線特番および内線番号の入力方法等は、図５の説明と同様であるため、説明を省略する。
【００３４】
移動通信端末ＭＰが、転送を行うための内線特番０２および転送先の内線番号１０００を入力すると（Ｓ２１１、Ｓ２１２）、構内交換機ＰＢＸの特番機能処理部２２により転送を行うため、内線電話ＥＸ１を呼出しする（Ｓ２１３、Ｓ２１４）。呼出しされた内線電話ＥＸ１は鳴動し（Ｓ２１５）、内線電話ＥＸ1が応答すると（Ｓ２１６、Ｓ２１７）、内線電話ＥＸ１と外線電話Ｐとの通話が成立する（Ｓ２１８）。このように、移動通信端末ＭＰから内線電話ＥＸ１への転送が行われる。
【００３５】
なお、図６の例では、移動通信端末ＭＰが行う転送は、外線電話Ｐと通話中のものであったが、内線電話ＥＸとの通話中に行うものでもよい。また、外線電話Ｐが内線電話ＥＸ２へ発信した場合に、内線電話ＥＸ２を呼出しせずに移動通信端末ＭＰのみを呼出しするようにしてもよい。
【００３６】
次に、図７を参照して、図５および図６で説明したように、移動通信端末ＭＰが内線特番を利用するために行う構内交換機ＰＢＸの処理について説明する。図７は、図５および図６において移動通信端末ＭＰがダイヤルイン番号にダイヤルした後に行う構内交換機ＰＢＸの処理を示したフローチャートである。
【００３７】
まず、外線インタフェース部１１からダイヤルイン番号へ着信する（Ｓ３０１）と、ダイヤルイン着信処理部２１は、移動通信端末データベースＤＢ２を参照して発信元の電話番号（発番号）が、内線特番機能を利用してよいか否かを判断する（Ｓ３０２）。発信元の電話番号が移動通信端末データベースＤＢ２に記憶されていれば内線特番機能を利用してよいと判断する。ダイヤルイン着信処理部２１が内線特番機能を利用してよいと判断した場合（Ｓ３０２でＹＥＳ）は、内線特番の入力を促す（Ｓ３０３）。内線特番が入力されるまで待機する（Ｓ３０３でＮＯ）。この待機時間は、タイマーを設ける等して一定時間が経過した場合に処理を終了するような機能を設けてもよい。
【００３８】
内線特番が入力されると（Ｓ３０３でＹＥＳ）、内線特番処理部２２は内線特番データベースＤＢ１を参照して、入力された内線特番に対応する機能の処理を行う（Ｓ３０４）。処理Ｓ３０２において、発信元の電話番号が移動通信端末データベースＤＢ２に記憶されていなければ内線特番機能の利用を不可と判断し、処理を終了する（Ｓ３０２でＮＯ）。
【００３９】
このように、構内交換機ＰＢＸにダイヤルイン着信処理部２１を設けてダイヤルイン着信があると内線特番の入力を受け付けるようにしているため、構内交換システムのネットワークに接続されていない電話である移動通信端末ＭＰから、内線電話ＥＸから使用する内線特番と同じ番号を用いて内線特番機能を利用することができる。そのため、移動通信端末ＭＰから内線特番機能を利用する場合に、発信、転送、会議等、どの内線特番機能を利用する場合であっても同じダイヤルイン番号を用いるため、通信事業者と契約するダイヤルイン番号は１つでよく、ダイヤルイン番号の利用料を低料金に抑えることができる。
【００４０】
また、移動通信端末ＭＰからダイヤルするダイヤルイン番号は、どの内線特番機能を利用する場合でも同じ番号であるため、移動通信端末ＭＰの電話帳に登録してダイヤルする場合、１つのダイヤルイン番号を登録しておくだけでよく、内線特番機能毎にダイヤルイン番号が設定される従来と比較して、移動通信端末ＭＰの電話帳に登録する作業が少なくすることができる。
【００４１】
さらに、従来多数のダイヤルイン番号が設定されている場合、よく利用する発信機能のためのダイヤルイン番号のみ電話帳に登録していなく、緊急で転送機能を利用することが必要になった場合に、転送機能を利用することができなかったが、本実施の形態によれば、１つのダイヤルイン番号を電話帳に登録しておけば、全ての内線特番機能を利用することができる。特に、構内交換機ＰＢＸが内線特番を入力するよう促す際に、内線特番の番号およびその番号に対応した内線特番機能をアナウンスするようにしておけば、多数の内線特番をユーザが覚えておく必要がなくなり、移動通信端末ＭＰと構内交換機ＰＢＸとの連携機能をより便利に利用することができるようになる。
【００４２】
なお、本発明は、以上の構成に限定されるものではなく、種々の変形が可能である。例えば、移動通信端末データベースＤＢ２は、携帯電話やＰＨＳ等の移動通信端末の電話番号を記憶するようにしたが、在宅勤務等の勤務形態の社員の自宅の固定電話の電話番号を記憶して、この固定電話からも内線特番機能を利用することができるようにしてもよい。
【００４３】
また、移動通信端末データベースＤＢは、１つの内線電話ＥＸの電話番号に複数の移動通信端末ＭＰの電話番号を関連付けしたり、１つの移動通信端末ＭＰの電話番号に複数の内線電話ＥＸの電話番号を関連付けしたりするようにしてもよい。
【符号の説明】
【００４４】
ＰＢＸ…構内交換機、ＮＷ…公衆網、ＥＸ１，ＥＸ２，ＥＸｎ，ＥＸ…内線電話、ＭＰ…移動通信端末、１１…局線インタフェース部、１２…内線インタフェース部、２０…制御部、２１…ダイヤルイン着信処理部、２２…内線特番処理部、２３…呼制御部、Ｍ…記憶部、ＤＢ１…内線特番データベース、ＤＢ２…移動通信端末データベース。
【図１】
2010239215.tif 000003
【図２】
2010239215.tif 000004
【図３】
2010239215.tif 000005
【図４】
2010239215.tif 000006
【図５】
2010239215.tif 000007
【図６】
2010239215.tif 000008
【図７】
2010239215.tif 000009